【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
ハウジングと、前記ハウジングに対して相対的に回転自在に支持されたロータと、前記ロータに設けられた複数枚の羽根と、前記ロータのロータマグネットに対向して前記ハウジングに固定されコイルを備えたステータと、を具備する冷却用ファン装置において、
前記ハウジングは、前記ロータの軸線方向一面側に位置する支持壁部と、前記ロータの羽根の外周を取り囲むように設けられた周側壁部と、前記ロータの軸線方向他面側に位置する取付壁部とを有し、前記支持壁部は前記ステータを支持すると共に該ステータのコイルが結線された回路基板体からなり、当該回路基板体を通して前記コイルに電流が供給され、前記周側壁部と前記取付壁部とは一体となってヒートシンク部を構成していることを特徴する冷却用ファン装置。
【請求項２】
前記回路基板体の一部には開口が形成され、また前記周側壁部の一部にも開口が形成されており、前記ロータが回転駆動することによって生成される空気流は、前記回路基板体の開口を通してハウジング内に流入すると共に前記周側壁部の開口を通して外部に排出されることを特徴とする請求項１記載の冷却用ファン装置。
【請求項３】
前記ロータは合成樹脂製のロータ本体と、前記ロータ本体の内側に装着されるヨーク部材とから構成されており、前記ロータ本体はスリーブ状のロータ側壁部と、このロータ側壁部の軸線方向一端部に設けられたロータ端壁部とを有し、前記ロータ端壁部には中央部に大きい円形状の開口が形成されており、また前記ヨーク部材はスリーブ状のヨーク側壁部と、このヨーク側壁部の一端部に該ヨーク側壁部の軸線方向開口を閉塞するよう設けられたヨーク端壁部とを有し、前記ヨーク端壁部には軸線方向外側に突出する環状突部が設けられており、前記ロータ端壁部は、前記ヨーク部材の前記環状突部の半径方向外側に位置付けられ、前記ロータ端壁部の外面と前記環状突部の外面とは実質上同一面を規定することを特徴とする請求項１または２に記載の冷却用ファン装置。
【請求項４】
前記ロータ側壁部の軸線方向他端部には周方向に間隔を置いて複数個の係合爪が一体的にかつ径方向内方に突出させて設けられ、前記複数個の係合爪を前記ヨーク側壁部の軸線方向他端部に係合させることによって、前記ヨーク部材は前記ロータ本体の前記端壁部と前記複数個の係合爪との間に挟持されることを特徴とする請求項３に記載の冷却用ファン装置。
【請求項５】
前記回路基板体は金属製であり、前記回路基板体には金属製支持スリーブが装着され、前記ロータを回転自在に支持するためのラジアル玉軸受が前記支持スリーブに取付けられており、前記取付壁部には、前記ロータの一部がスラスト方向に当接してこれを回転自在に支持するためのスラスト軸受部材が設けられていることを特徴とする請求項１〜４のいずれかに記載の冷却用ファン装置。
【手続補正２】
【補正対象書類名】明細書
【補正対象項目名】０００７
【補正方法】変更
【補正の内容】
【０００７】
【課題を解決するための手段】
本発明は、ハウジングと、前記ハウジングに対して相対的に回転自在に支持されたロータと、前記ロータに設けられた複数枚の羽根と、前記ロータのロータマグネットに対向して前記ハウジングに固定されコイルを備えたステータと、を具備する冷却用ファン装置において、前記ハウジングは、前記ロータの軸線方向一面側に位置する支持壁部と、前記ロータの羽根の外周を取り囲むように設けられた周側壁部と、前記ロータの軸線方向他面側に位置する取付壁部とを有し、前記支持壁部は前記ステータを支持すると共に該ステータのコイルが結線された回路基板体からなり、当該回路基板体を通して前記コイルに電流が供給され、前記周側壁部と前記取付壁部とは一体となってヒートシンク部を構成していることを特徴する冷却用ファン装置である。
本発明に従えば、ステータのコイルに電流を供給するための回路基板体がハウジングの一部を構成するので、ハウジングの小型化を達成することができるとともに、ハウジングの一部を省略して製造コストの低減を図ることができる。
また、前記回路基板体の一部には開口が形成され、また前記周側壁部の一部にも開口が形成されており、前記ロータが回転駆動することによって生成される空気流は、前記回路基板体の開口を通してハウジング内に流入すると共に前記周側壁部の開口を通して外部に排出されることを特徴とする。
本発明に従えば、ハウジングの内面に沿って空気流が流れることから、放熱性を良好にすることができる。
また、前記ロータは合成樹脂製のロータ本体と、前記ロータ本体の内側に装着されるヨーク部材とから構成されており、前記ロータ本体はスリーブ状のロータ側壁部と、このロータ側壁部の軸線方向一端部に設けられたロータ端壁部とを有し、前記ロータ端壁部には中央部に大きい円形状の開口が形成されており、また前記ヨーク部材はスリーブ状のヨーク側壁部と、このヨーク側壁部の一端部に該ヨーク側壁部の軸線方向開口を閉塞するよう設けられたヨーク端壁部とを有し、前記ヨーク端壁部には軸線方向外側に突出する環状突部が設けられており、前記ロータ端壁部は、前記ヨーク部材の前記環状突部の半径方向外側に位置付けられ、前記ロータ端壁部の外面と前記環状突部の外面とは実質上同一面を規定することを特徴とする。
本発明に従えば、ロータの軸線方向の長さを小さくすることができるとともに、ヨーク部材の内側にステータとの磁気回路を構成する空間を大きく確保できる。
また、前記ロータ側壁部の軸線方向他端部には周方向に間隔を置いて複数個の係合爪が一体的にかつ径方向内方に突出させて設けられ、前記複数個の係合爪を前記ヨーク側壁部の軸線方向他端部に係合させることによって、前記ヨーク部材は前記ロータ本体の前記端壁部と前記複数個の係合爪との間に挟持されることを特徴とする。
本発明に従えば、ヨーク部材をロータに容易かつ確実に取り付けることができる。
また、前記回路基板体は金属製であり、前記回路基板体には金属製支持スリーブが装着され、前記ロータを回転自在に支持するためのラジアル玉軸受が前記支持スリーブに取付けられており、前記取付壁部には、前記ロータの一部がスラスト方向に当接してこれを回転自在に支持するためのスラスト軸受部材が設けられていることを特徴とする。
本発明に従えば、回路基板体が金属製であるので、これに装着された電子部品などの冷却効果を高めることができる。また、この回路基板体に金属製支持スリーブを介して玉軸受が支持されているので、玉軸受の冷却効果も高められ、玉軸受の長寿命化を図ることができる。加えて、スラスト軸受部材がヒートシンク部の取付壁部に取付けられているので、スラスト軸受部材の冷却効果も高められ、スラスト軸受部材の長寿命化を図ることもできる。
【手続補正３】
【補正対象書類名】明細書
【補正対象項目名】０００８
【補正方法】削除
【補正の内容】
【手続補正４】
【補正対象書類名】明細書
【補正対象項目名】００３３
【補正方法】変更
【補正の内容】
【００３３】
本発明の請求項２の冷却用ファン装置によれば、ハウジングの内面に沿って空気流が流れることから、放熱性を良好にすることができる。
【手続補正５】
【補正対象書類名】明細書
【補正対象項目名】００３４
【補正方法】変更
【補正の内容】
【００３４】
本発明の請求項３の冷却用ファン装置によれば、ロータの軸線方向の長さを小さくすることができるとともに、ヨーク部材の内側にステータとの磁気回路を構成する空間を大きく確保できる。
【手続補正６】
【補正対象書類名】明細書
【補正対象項目名】００３５
【補正方法】変更
【補正の内容】
【００３５】
本発明の請求項４の冷却用ファン装置によれば、ヨーク部材をロータに容易かつ確実に取り付けることができる。
【手続補正７】
【補正対象書類名】明細書
【補正対象項目名】００３６
【補正方法】変更
【補正の内容】
【００３６】
本発明の請求項５の冷却用ファン装置によれば、回路基板体が金属製であるので、これに装着された電子部品などの冷却効果を高めることができる。また、この回路基板体に金属製支持スリーブを介して玉軸受が支持されているので、玉軸受の冷却効果も高められ、玉軸受の長寿命化を図ることができる。加えて、スラスト軸受部材がヒートシンク部の取付壁部に取付けられているので、スラスト軸受部材の冷却効果も高められ、スラスト軸受部材の長寿命化を図ることもできる。
【手続補正８】
【補正対象書類名】明細書
【補正対象項目名】００３７
【補正方法】削除
【補正の内容】
【手続補正９】
【補正対象書類名】明細書
【補正対象項目名】００３８
【補正方法】削除
【補正の内容】